(57)【要約】【課題】ユーザのホースの引き回し操作がされても装置のバランスが崩れにくい電気掃除機を提供することを目的としている。【解決手段】圧力室を、ホースの引き回し操作による移動方向に沿って長い形状に形成しているので、ユーザがホースの引き回し操作を行った際、浮上式電気掃除機をスムーズに移動することができ、浮上式電気掃除機の動作を安定することができるとともに、ユーザの操作性を向上することができるという効果を得る。【選択図】          図２
2005006716.tif 000002
【特許請求の範囲】
【請求項１】
モータの排気を床面方向へ導き、当該排気流を圧力室に蓄積し、本体を床面より浮上させて移動可能とした電気掃除機において、
上記圧力室は、その平面投影形状が、本体の移動方向に沿った縦長形状に形成されていることを特徴とする電気掃除機。
【請求項２】
モータの排気を床面方向へ導き、当該排気流を圧力室に蓄積し、本体を床面より浮上させて移動可能とした電気掃除機において、
上記集塵機構の集塵室は、吸気のためのホースが連結される連結部と反対側の本体の位置に設けられることを特徴とする電気掃除機。
【請求項３】
前記本体は、略円筒状に形成され、
上記本体の電源コードを巻き取るコードリールは、上記本体の外周に沿った円環状に配設されていることを特徴とする請求項２記載の電気掃除機。
【請求項４】
モータの排気を床面方向へ導き、当該排気流を圧力室に蓄積し、本体を床面より浮上させて移動可能とした電気掃除機において、
本体装置を駆動する電源を供給する充電池を備えたことを特徴とする電気掃除機。
【請求項５】
モータの排気を床面方向へ導き、当該排気流を圧力室に蓄積し、本体を床面より浮上させて移動可能とした電気掃除機において、
上記本体は、略円筒状に形成され、
上記圧力室は、その平面投影形状が、上記本体よりも径の大きい円形に形成されていることを特徴とする電気掃除機。
【請求項６】
モータの排気を床面方向へ導き、当該排気流を圧力室に蓄積し、本体を床面より浮上させて移動可能とした電気掃除機において、
吸気中の塵埃を蓄積する集塵部を、吸気のためのホースに設けたことを特徴とする電気掃除機。
【発明の詳細な説明】
【０００１】
【発明の属する技術分野】
本発明は、モータの排気を床面方向へ導き、当該排気流を圧力室に蓄積し、本体を床面より浮上させて移動可能とした電気掃除機に関する。
【０００２】
【従来の技術】
従来より、モータの排気を床面方向へ導き、当該排気流を圧力室に蓄積し、本体を浮上させて移動可能とした電気掃除機（以下、「浮上式電気掃除機」という）が提案されている（特許文献１を参照）。
【０００３】
【特許文献１】
特開平６−１３３９００号公報
【０００４】
この浮上式電気掃除機は、本体が床面と接触しないため、ユーザが吸い込み口が付いたホース（以下、「掃除用ホース」という）を移動する際、そのユーザが操作する掃除用ホースの動きに従って円滑に移動するので、ユーザの作業が楽に行えるという利点がある。
【０００５】
【発明が解決しようとする課題】
さて、このような従来の浮上式電気掃除機では、浮上用の空気を蓄積するための圧力室は、本体の荷重バランスを考慮して、その平面投影形状が円形または正方形に形成されることが多い。
【０００６】
一方、通常、浮上式電気掃除機には、掃除用の空気を取り入れるための一本のホースが本体の側面等に連結されていて、ユーザが掃除作業を行う際には、そのホースが引き回される。それにより、そのユーザのホースの引き回し操作に伴って、本体が移動する。
【０００７】
そのために、全体の荷重バランスが、ホースの引き回し操作に伴った移動方向に崩れ、圧力室が傾斜して空気が漏れ、十分な浮力を得られなくなるおそれがある。
【０００８】
本発明は、かかる実情に鑑みてなされたものであり、ユーザのホースの引き回し操作がされても装置のバランスが崩れにくい電気掃除機を提供することを目的としている。
【０００９】
【課題を解決するための手段】
本発明は、モータの排気を床面方向へ導き、当該排気流を圧力室に蓄積し、本体を床面より浮上させて移動可能とした電気掃除機において、上記圧力室は、その平面投影形状が、本体の移動方向に沿った縦長形状に形成されているものである。
【００１０】
また、モータの排気を床面方向へ導き、当該排気流を圧力室に蓄積し、本体を床面より浮上させて移動可能とした電気掃除機において、上記集塵機構の集塵室は、吸気のためのホースが連結される連結部と反対側の本体の位置に設けられるものである。
【００１１】
また、前記本体は、略円筒状に形成され、上記本体の電源コードを巻き取るコードリールは、上記本体の外周に沿った円環状に配設されているものである。
【００１２】
また、モータの排気を床面方向へ導き、当該排気流を圧力室に蓄積し、本体を床面より浮上させて移動可能とした電気掃除機において、本体装置を駆動する電源を供給する充電池を備えたものである。
【００１３】
また、モータの排気を床面方向へ導き、当該排気流を圧力室に蓄積し、本体を床面より浮上させて移動可能とした電気掃除機において、上記本体は、略円筒状に形成され、上記圧力室は、その平面投影形状が、上記本体よりも径の大きい円形に形成されているものである。
【００１４】
また、モータの排気を床面方向へ導き、当該排気流を圧力室に蓄積し、本体を床面より浮上させて移動可能とした電気掃除機において、吸気中の塵埃を蓄積する集塵部を、吸気のためのホースに設けたものである。
【００１５】
【発明の実施の形態】
以下、添付図面を参照しながら、本発明の実施の形態を詳細に説明する。
【００１６】
図１、図２、および、図３は、本発明の一実施例にかかる浮上式電気掃除機の一例を示している。また、本実施例では、吸気中の塵埃を除去する方式として、いわゆる、サイクロン方式を適用している。
【００１７】
図において、この浮上式電気掃除機の本体１は、略円筒状に形成されており、本体１の中央部には、モータ２が固定されるモータ室３が設けられており、本体１の一方の側部に設けられた連結部４には、吸気のためのホース５が連結される。
【００１８】
また、連結部４を介して、ホース５より流入した空気は、通路６を通って、本体１の上部に設けられているサイクロン方式の分離部７へ導かれ、分離部８を旋回中に、吸気中に含まれる塵埃が集塵室９へ集められる。
【００１９】
また、吸気流は、モータ室３の上端部に設けられている吸気孔部９を介してモータ室３へと至り、さらに、モータ室３の下端部に設けられている排気孔部１０を介して、本体１の下側に設けられている圧力室１１へ至る。
【００２０】
圧力室１１は、その周囲が壁部材１２により仕切られており、ホース５の連結部４の略中央部と本体１の略中央部を結ぶ直線方向に延長された縦長の形状に形成されている。
【００２１】
また、集塵室９の下位置には、電源コードを巻き取るためのコードリール１６が収容されている。
【００２２】
したがって、この浮上式電気掃除機に電源を投入して起動すると、モータ３が駆動され、それにより、ホース５から外気が流入し、通路６を通って分離室７へ流れ、さらに、吸気孔部９を通してモータ室３へと導かれる。
【００２３】
そして、モータ室３から圧力室１１へ排気流が送り出されて、圧力室１１の圧力が十分な大きさになると、本体１が床面より浮上する。
【００２４】
そして、この運転状態で、ユーザがホース５を引き回し操作すると、その引き回し操作の力は連結部４を介して本体１へ伝達され、床面から浮上した状態で本体１が移動する。
【００２５】
このとき、圧力室１１は、本体１の略移動方向に沿って長い形状となっているので、この浮上式電気掃除機の全体の荷重バランスが保たれ、スムーズに移動することができる。
【００２６】
このようにして、本実施例では、圧力室を、ホースの引き回し操作による移動方向に沿って長い形状に形成しているので、ユーザがホースの引き回し操作を行った際、浮上式電気掃除機をスムーズに移動することができ、浮上式電気掃除機の動作を安定することができるとともに、ユーザの操作性を向上することができる。
【００２７】
図４および図５は、本発明の他の実施例にかかる浮上式電気掃除機の一例を示している。また、本実施例では、吸気中の塵埃を除去する方式として、いわゆる、サイクロン方式を適用している。
【００２８】
図において、この浮上式電気掃除機の本体２１は、略円筒状に形成されており、本体２１の下部にはスカート部２２が設けられている。本体２１の中央部には、モータ２３が固定されるモータ室２４が設けられており、連結部２５には、ホース２６が連結される。
【００２９】
また、連結部２５を介して、ホース２６より流入した空気は、通路２７を通って、本体２１の上部に設けられているサイクロン方式の分離部２８へ導かれ、分離部２８を旋回中に、吸気中に含まれる塵埃が集塵室２９へ集められる。
【００３０】
また、吸気流は、モータ室２４の上端部に設けられている吸気孔部３０を介してモータ室２４へと至り、さらに、モータ室２４の下端部に設けられている排気孔部３１を介して、本体２１の下側に設けられている圧力室３２へ至る。
【００３１】
圧力室３２は、その周囲が壁部材３３により仕切られており、そのさらに外側には、後述する気流を案内するための仕切部材３４が設けられている。また、仕切部材３４には、気流を上方向に逃がすための孔３５が設けられており、スカート部２２のこの孔３５の直上位置には、気流を上方向へ逃がすための孔３６が設けられている。また、孔３５および孔３６は、適宜な間隔で本体２１の周囲に、複数設けられる。
【００３２】
また、集塵室２９の下位置には、電源コード（図示略）を巻き取るためのコードリール３７が収容されている。
【００３３】
また、壁部材３３が床面に対向する部分３３ａは、本体２１の内側方向へ湾曲する態様に形成されている。また、部分３３ａと床面との距離は、スカート部２２が最も床面に近づく端部２２ａと床面との距離よりも小さくなるように設定されている。
【００３４】
また、スカート部２２には、モータ室２４から通路３８により分岐された気流が送り込まれる。
【００３５】
したがって、この浮上式電気掃除機に電源を投入して起動すると、モータ室２４から圧力室３２へ排気流が送り出されて、圧力室３２の圧力が十分な大きさになると、本体２１が床面より浮上する。
【００３６】
それとともに、圧力室３２の壁部材３３の部分３３ａが、床面から離れるため、部分３３ａと床面との間の隙間から排気が外へ放出される。
【００３７】
一方、モータ室２４から通路３８を介して、スカート部２２の内側へ気流が送り込まれるので、スカート部２２の端部２２ａと仕切部材３４の先端の隙間から、気流が本体２１の内側の圧力室３２の方向へと吹き出される。
【００３８】
その結果、圧力室３２から放出される排気流は、スカート部２２の端部２２ａと仕切部材３４との隙間から吹き出される気流と衝突し、それらが合わさった後の気流は、上方向へ方向を偏向する。そして、その方向を偏向した気流は、仕切部材３４の孔３５とスカート部２２の孔３６を介して、本体２１の外部へと至る。
【００３９】
また、集塵室２９は、図６および図７に示すように、本体２１から着脱自在に設けられており、集塵室２９を取り外し、内部に集積されている塵埃等を排気することができるようになっている。
【００４０】
このようにして、本実施例では、集塵方式としてサイクロン方式を採用したので、紙パック方式または紙ボックス方式の集塵方式を採用した場合に比べて、紙パック等の目詰まりによる送風量の低下がなく、その結果、圧力室３２の空気圧を適切に保持することができ、安定した運転が可能となる。
【００４１】
また、コードリール３７を、本体２１の外周部に沿って内側に設けたので、電源コードを引き出した際に重量バランスが崩れることを極力抑制することができ、その結果、安定した操作および運転が可能となる。
【００４２】
また、本実施例を応用して、自走式の清掃ロボットを構成することができる。
【００４３】
図８は、本発明のさらに他の実施例にかかる浮上式電気掃除機の一例を示している。また、本実施例では、吸気中の塵埃を除去する方式として、いわゆる、サイクロン方式を適用している。また、電源として、充電池を搭載している。
【００４４】
図において、この浮上式電気掃除機の本体４１は、略円筒状に形成されており、本体４１の下部にはスカート部４２が設けられている。本体４１の中央部には、モータ４３が固定されるモータ室４４が設けられており、連結部４５には、ホース４６が連結される。
【００４５】
また、連結部４５を介して、ホース４６より流入した空気は、本体４１の上部に設けられているサイクロン方式の分離部４８へ導かれ、分離部４８を旋回中に、吸気中に含まれる塵埃が集塵室４９へ集められる。
【００４６】
また、吸気流は、モータ室４４の上端部に設けられている吸気孔部５０を介してモータ室４４へと至り、さらに、モータ室４４の下端部に設けられている排気孔部５１を介して、本体４１の下側に設けられている圧力室５２へ至る。
【００４７】
圧力室５２は、その周囲が壁部材５３により仕切られており、また、集塵室４９の下位置には、充電池を収容する充電池室５４が、本体４１の外周部に沿って設けられている。
【００４８】
また、モータ室４４から孔５５，５６を介して、充電池室５４の周囲へ冷却用の気流が回り込み、充電池室５４の収容部の床部に穿設された孔５７を通して、圧力室５２へ流れる。それにより、充電池室５４に収容されている充電池が冷却される。
【００４９】
したがって、この浮上式電気掃除機に電源を投入して起動すると、モータ室４４から圧力室５２へ排気流が送り出されて、圧力室５２の圧力が十分な大きさになると、本体４１が床面より浮上する。
【００５０】
このようにして、本実施例では、装置を駆動する電源を充電池から供給するようにしているので、掃除作業時に電源コードに乗り上げて、圧力室５２に蓄積されていた浮上用の空気が漏れて、十分な浮力を得られなくなるような不具合が発生する事態を解消することができる。
【００５１】
図９および図１０は、本発明の別な実施例にかかる浮上式電気掃除機の一例を示している。
【００５２】
本実施例では、本体６０が略円筒状に形成されており、本体６０の浮力を蓄積するための圧力室６１は、本体６０よりもその直径が大きい形状に形成されている。
【００５３】
それにより、圧力室６１が作用する浮力が、本体６０の底面よりも広い範囲に及ぶので、この浮上式電気掃除機を移動した場合の姿勢の安定性が向上し、円滑な作業を行うことができる。
【００５４】
図１１は、本発明のさらに別な実施例にかかる浮上式電気掃除機の一例を示している。
【００５５】
同図において、吸気用のホース７０は、ブラシユニット７１を先端部に連結するパイプユニット７２と、パイプユニット７２を連結して、本体８０に接続するための可撓性パイプユニット７３からなり、パイプユニット７２には、吸気中から塵埃を分離して蓄積するための集塵部７４が設けられている。
【００５６】
したがって、本実施例では、運転中に蓄積される塵埃等は、集塵部７４に蓄積されるため、集塵部を本体に設けた場合に比べて、本体８０の重量が変動するような事態を回避することができ、本体８０の重量バランスが崩れるような不具合を防止することができる。
【００５７】
【発明の効果】
以上説明したように、本発明によれば、圧力室を、ホースの引き回し操作による移動方向に沿って長い形状に形成しているので、ユーザがホースの引き回し操作を行った際、浮上式電気掃除機をスムーズに移動することができ、浮上式電気掃除機の動作を安定することができるとともに、ユーザの操作性を向上することができるという効果を得る。
【００５８】
また、集塵方式としてサイクロン方式を採用したので、紙パック方式または紙ボックス方式の集塵方式を採用した場合に比べて、紙パック等の目詰まりによる送風量の低下がなく、その結果、圧力室の空気圧を適切に保持することができ、安定した運転が可能となるという効果も得る。
【００５９】
また、コードリールを、本体の外周部に沿って内側に設けたので、電源コードを引き出した際に重量バランスが崩れることを極力抑制することができ、その結果、安定した操作および運転が可能となるという効果も得る。
【００６０】
また、装置を駆動する電源を充電池から供給するようにしているので、掃除作業時に電源コードに乗り上げて、圧力室５２に蓄積されていた浮上用の空気が漏れて、十分な浮力を得られなくなるような不具合が発生する事態を解消することができるという効果も得る。
【００６１】
また、本体の浮力を蓄積するための圧力室を、本体よりもその直径が大きい形状に形成したので、圧力室が作用する浮力が、本体の底面よりも広い範囲に及ぶので、この浮上式電気掃除機を移動した場合の姿勢の安定性が向上し、円滑な作業を行うことができるという効果も得る。
【００６２】
また、ホース側に集塵部を設けたので、集塵部を本体に設けた場合に比べて、本体の重量が変動するような事態を回避することができ、本体の重量バランスが崩れるような不具合を防止することができるという効果も得る。
【図面の簡単な説明】
【図１】本発明の一実施例にかかる浮上式電気掃除機の一例を示した概略側面図。
【図２】本発明の一実施例にかかる浮上式電気掃除機の一例を示した概略側面部分断面図。
【図３】本発明の一実施例にかかる浮上式電気掃除機の一例を示した底面図。
【図４】本発明の他の実施例にかかる浮上式電気掃除機の一例を示した概略側面図。
【図５】本発明の他の実施例にかかる浮上式電気掃除機の一例を示した概略側面部分断面図。
【図６】集塵部の一例を示した概略斜視図。
【図７】本体より集塵部を取り外した態様の一例を示した概略側面図。
【図８】本発明のさらに他の実施例にかかる浮上式電気掃除機の一例を示した概略側面部分断面図。
【図９】本発明の別な実施例にかかる浮上式電気掃除機の一例を示した概略平面図。
【図１０】本発明の別な実施例にかかる浮上式電気掃除機の一例を示した概略側面図。
【図１１】本発明のさらに別な実施例にかかる浮上式電気掃除機の一例を示した概略側面部分断面図。
【符号の説明】
１，２１，４１，６０，８０  本体
１１，８１  圧力室
１２  壁部材
２３  モータ
２４  モータ室
２８  分離部
２９  集塵室
３７  コードリール
５４  充電池室
７０  ホース
７４  集塵部
【図１】
2005006716.tif 000003
【図２】
2005006716.tif 000004
【図３】
2005006716.tif 000005
【図４】
2005006716.tif 000006
【図５】
2005006716.tif 000007
【図６】
2005006716.tif 000008
【図７】
2005006716.tif 000009
【図８】
2005006716.tif 000010
【図９】
2005006716.tif 000011
【図１０】
2005006716.tif 000012
【図１１】
2005006716.tif 000013